【手続補正書】
【提出日】平成19年3月8日(2007.3.8)
【手続補正１】
【補正対象書類名】明細書
【補正対象項目名】００１４
【補正方法】変更
【補正の内容】
【００１４】
本発明の定高型積載物用カバー１は、図１〜図３に示すように、４側面部１１，１２，１３，１４と上面部１５を有し、直方体の底面に相当する部分は、開口部１６である。本明細書において「直方体」とは、各側面、上面、及び底面の６面の全てが長方形の直方体、２面が正方形の直方体、及び６面がすべて正方形の立方体を含む概念である。また、以下の記載では、説明の便宜のために、前記の４側面部を、順に、第１側面部１１、第２側面部１２、第３側面部１３、及び第４側面部１４と称することにする。
【手続補正２】
【補正対象書類名】明細書
【補正対象項目名】００１５
【補正方法】変更
【補正の内容】
【００１５】
本発明の積載物用カバー１は、使用前は、図１に示すように、折り畳んで保存しておくことができる。図１〜図３に示す積載物用カバー１は、第１側面部１１と第２側面部１２との間の稜線２１に、稜線２１の全長に亘って、スリット３１を有し、それ以外の稜線２２，２３，２４は一体的に連続しており、更に４側面部１１，１２，１３，１４と上面部１５との間の４稜線も一体的に連続している。また、スリット３１に沿って、第１側面部１１の外側表面と第２側面部１２の外側表面とに、スリット閉鎖手段としての面ファスナー３２，３３を複数箇所に設ける。面ファスナー３２，３３は、第１側面部１１に設けた雄型面ファスナー３２と、第２側面部１２に設けた雌型面ファスナー３３とを面接触させることによってスリット３１を閉鎖することができる。
【手続補正３】
【補正対象書類名】明細書
【補正対象項目名】００１６
【補正方法】変更
【補正の内容】
【００１６】
図１〜図３に示す態様では、第１側面部１１の底面開口部１６側の端部、及び場合により、第３側面部１３の底面開口部１６側の端部に、フォークリフトのフォーク貫通用開口部４１，４２を設ける。このフォーク貫通用開口部４１，４２は、フォークリフトのフォークを通過させ、パレットに設けられているフォーク挿入口にフォークを導くために設ける。場合により、更に、フォーク貫通用開口部を第２側面部１２の底面開口部１６側の端部、及び第４側面部１４の底面開口部１６側の端部に設けることもできる。この場合は、四方向のいずれからもフォークを挿入することができる。
【手続補正４】
【補正対象書類名】明細書
【補正対象項目名】００１７
【補正方法】変更
【補正の内容】
【００１７】
本発明の定高型積載物用カバー１を使用する際には、図１に示すような折り畳まれた状態の保護カバー１の稜線２１に設けた面ファスナー３２，３３を剥離してスリット３１を開き、図２に示すように、積載物（図示せず）の全体と、パレット５の側面全体とを覆う。本発明の定高型積載物用カバー１は、積載物の高さや幅などの寸法及びパレットの寸法に合わせて製造してあるので、積載物の上端は保護カバー１の上面部１５に接触する。更に、パレット５に設けられているフォーク挿入口の直前にフォーク貫通用開口部４１，４２が重なるように配置する。
【手続補正５】
【補正対象書類名】明細書
【補正対象項目名】００１８
【補正方法】変更
【補正の内容】
【００１８】
定高型積載物用カバー１で、積載物全体とパレット５の側面全体とを正しく覆った後で、面ファスナー３２，３３を面接触させてスリットを閉鎖すると、面ファスナー３２，３３の結合により、積載物及びパレット５は、４側面部１１，１２，１３，１４によって周囲から水平方向へ締め付けられ、固定される。なお、面ファスナー３２，３３を面接触させる際には、積載物及びパレット５が保護カバー１によって緊密に固定されるように、第１側面部１１と第２側面部１２とをスリット３１の間隔ができる限り狭くなるように水平方向へ引っ張ってから固定するのが好ましい。例えば、面ファスナー３２ａ，３３ａを面接触させる際には、図３に示すように、第１側面部１１を矢印ａの方向へ強く引き、そして第２側面部１２を矢印ｂの方向へ強く引き、パレット５が保護カバー１によって緊密に固定される状態にしてから、面ファスナー３２ａ，３３ａを面接触させて固定するのが好ましい。また、例えば、面ファスナー３２ｂ，３３ｂを面接触させる際には、図３に示すように、第１側面部１１を矢印ａの方向へ強く引き、そして第２側面部１２を矢印ｂの方向へ強く引き、積載物が保護カバー１によって緊密に固定される状態にしてから、面ファスナー３２ｂ，３３ｂを面接触させて固定するのが好ましい。
【手続補正６】
【補正対象書類名】明細書
【補正対象項目名】００２０
【補正方法】変更
【補正の内容】
【００２０】
以上のように、本発明の定高型積載物用カバー１は、底面１６が開口された直方体の４側面部１１，１２，１３，１４の４枚の長方形シート部分の間の４稜線をそれぞれ山形に折り曲げ、上面部１５の４稜線もそれぞれ山形に折り曲げ、そして、幅方向の辺の長さが長い方の１対の対向する２側面部１１，１３の長方形シート部分については、一方の側面部１３を前記稜線以外では折り曲げず、もう一方の側面部１１（及び他の２側面部１２，１４の一部）で折り畳み線Ａに沿って幅方向に谷形に折り曲げ、幅方向の辺の長さが短い方の１対の対向する２側面部１２，１４の長方形シート部分については、上面から底面方向にＹ字形（上面側がＹ字の上部）に折り畳み線Ａに沿って谷形に半分に折り曲げることによって、全体を平板状に折り畳まれた状態にすることができる。ここで、山形に折り畳まれるとは、定高型積載物用カバー１の外側から観察した場合に、外側に突出した形状に折り畳まれていることを意味する。逆に、谷形に折り畳まれるとは、定高型積載物用カバー１の外側から観察した場合に、内側に窪んだ形状に折り畳まれていることを意味する。
【手続補正７】
【補正対象書類名】明細書
【補正対象項目名】００２２
【補正方法】変更
【補正の内容】
【００２２】
本発明の変高型積載物用カバー１０を使用する前の折り畳んだ状態を図４に示し、変高型積載物用カバー１０を少し開いた状態を図５に示し、パレット上の積載物を覆う操作の途中の状態を図６に示し、高さ調整操作の途中の状態を図７及び図８に示し、パレット上の積載物を覆う操作の終了後の状態を図９に示す。なお、図６〜図９には、パレット５のみを示し、積載されている荷物を省略しているが、本発明の変高型積載物用カバー１０を実際に使用する場合は、もちろん、パレット５の上に荷物が積載されている。変高型積載物用カバー１０に含まれる部片において、前記の定高型積載物用カバー１に含まれる部片と同様の部片は同じ番号で示す。また、前記の定高型積載物用カバー１に関連して説明した一般的事項は、変高型積載物用カバー１０においても、あてはまる。
【手続補正８】
【補正対象書類名】明細書
【補正対象項目名】００２３
【補正方法】変更
【補正の内容】
【００２３】
本発明の変高型積載物用カバー１０は、図４に示すように、平坦な状態に折り畳むことができる。この変高型積載物用カバー１０は、図５に示すように、６枚の長方形状側面部１１，１２Ａ，１２Ｂ，１３，１４Ａ，１４Ｂを含み、底面側の端部は開口部１６であり、もう一方の端部は、線状閉鎖端部２５である。なお、図５においては、図面を簡略化するために、図４に示す面ファスナー３２，３３，３４，３５を省略している。また、以下の記載では、説明の便宜のために、前記の６側面部を、順に、第１側面部１１、第２側面部１２Ａ、第３側面部１２Ｂ、第４側面部１３、第５側面部１４Ａ、及び第６側面部１４Ｂと称することにする。
【手続補正９】
【補正対象書類名】明細書
【補正対象項目名】００２４
【補正方法】変更
【補正の内容】
【００２４】
これらの側面部によって形成される稜線は、図５に示すとおり、第１側面部１１と第２側面部１２Ａとの間の稜線２１は山形に折り畳まれており、第２側面部１２Ａと第３側面部１２Ｂとの間の稜線２２Ｃは谷形に折り畳まれている。ここで、山形に折り畳まれるとは、変高型積載物用カバー１０の外側から観察した場合に、外側に突出した形状に折り畳まれていることを意味する。逆に、谷形に折り畳まれるとは、変高型積載物用カバー１０の外側から観察した場合に、内側に窪んだ形状に折り畳まれていることを意味する。更に、第３側面部１２Ｂと第４側面部１３との間の稜線２２、及びは第４側面部１３と第５側面部１４Ａとの間の稜線２３は、いずれも山形に折り畳まれている。また、第５側面部１４Ａと第６側面部１４Ｂとの間の稜線２４Ｃは、谷形に折り畳まれており、更にまた、第６側面部１４Ｂと第１側面部１１との間の稜線２４は山形に折り畳まれている。
【手続補正１０】
【補正対象書類名】明細書
【補正対象項目名】００２５
【補正方法】変更
【補正の内容】
【００２５】
図４及び図５に示す変高型積載物用カバー１０の構造を図１０〜図１２を参照しながら更に説明する。図１０〜図１２でも、図面を簡略化するために、図４に示す面ファスナー３２，３３，３４，３５を省略している。すなわち、図１０〜図１２は、図４から面ファスナー３２，３３，３４，３５を省略し、更に、６枚の長方形状側面部１１，１２Ａ，１２Ｂ，１３，１４Ａ，１４Ｂの一部を上から順に次々に切り欠いて、それらの重なり構造を示すものである。図１０に示すとおり、第１側面部１１の一部を切り欠くと、その直ぐ下には、第２側面部１２Ａと、第６側面部１４Ｂのそれぞれの内側壁面が現れる。第２側面部１２Ａと第６側面部１４Ｂとの間には、最も奥に位置する第４側面部１３の内側壁面の一部が現れている。また、第２側面部１２Ａの端部は、谷型に折り込まれた稜線２２Ｃであり、第６側面部１４Ｂの端部は、反対側から谷型に折り込まれた稜線２４Ｃである。
【手続補正１１】
【補正対象書類名】明細書
【補正対象項目名】００２６
【補正方法】変更
【補正の内容】
【００２６】
続いて、図１１に示すように、第２側面部１２Ａの一部を切り欠くと、その直ぐ下には、第３側面部１２Ｂの外側壁面が現れる。また、第６側面部１４Ｂの一部を切り欠くと、その直ぐ下には、第５側面部１４Ａの外側壁面が現れる。更に、図１２に示すように、第３側面部１２Ｂの一部を切り欠くと、その直ぐ下には、第４側面部１３の内側壁面が現れ、同様に、第５側面部１４Ａの一部を切り欠くと、その直ぐ下にも、第４側面部１３の内側壁面が現れる。
【手続補正１２】
【補正対象書類名】明細書
【補正対象項目名】００２８
【補正方法】変更
【補正の内容】
【００２８】
本発明の変高型積載物用カバー１０を使用する際には、図４に示すように折り畳まれた状態の保護カバー１０の稜線２１に設けた面ファスナー３２，３３を剥離してスリット３１を開き、更に、開口部１６側の谷型稜線２２Ｃと谷形稜線２４Ｃをそれぞれ折り畳みから開放し、変高型積載物用カバー１０を開くと、前記の第２側面部１２Ａと第３側面部１２Ｂとによって新たに１つの側面部１２が形成され、同じく、前記の第５側面部１４Ａと第６側面部１４Ｂとによって新たに１つの側面部１４が形成される。こうして形成された４つの側面部１１，１２，１３，１４によって囲まれた空隙部分で、図６に示すように、積載物（図示せず）の全体と、パレット５の側面全体とを覆う。
【手続補正１３】
【補正対象書類名】明細書
【補正対象項目名】００２９
【補正方法】変更
【補正の内容】
【００２９】
本発明の変高型積載物用カバー１０は、積載物の幅の寸法及びパレットの寸法には合わせて製造してあるが、積載物の高さ（図６及び図７のＸ）については、寸法を合わせていない。そこで、まず、パレット５に設けられているフォーク挿入口５１の直前にフォーク貫通用開口部４１，４２が重なるように配置する。続いて、面ファスナー３２，３３を面接触させてスリットを閉鎖すると、面ファスナー３２，３３の結合により、積載物及びパレット５は、４側面部１１，１２（１２Ａ＋１２Ｂ），１３，１４（１４Ａ＋１４Ｂ）によって周囲から水平方向へ締め付けられ、固定される。
【手続補正１４】
【補正対象書類名】明細書
【補正対象項目名】００３０
【補正方法】変更
【補正の内容】
【００３０】
なお、面ファスナー３２，３３を面接触させる際には、前記のとおり、積載物及びパレット５が保護カバー１０によって緊密に固定されるように、第１側面部１１と第２側面部１２とをスリット３１の間隔ができる限り狭くなるように水平方向へ引っ張ってから固定するのが好ましい。例えば、面ファスナー３２ａ，３３ａを面接触させる際には、図７に示すように、第１側面部１１を矢印ａの方向へ強く引き、そして第２側面部１２（１２Ａ＋１２Ｂ）を矢印ｂの方向へ強く引き、パレット５が保護カバー１０によって緊密に固定される状態にしてから、面ファスナー３２ａ，３３ａを面接触させて固定するのが好ましい。また、例えば、面ファスナー３２ｂ，３３ｂを面接触させる際にも、図７に示すように、第１側面部１１を矢印ａの方向へ強く引き、そして第２側面部１２（１２Ａ＋１２Ｂ）を矢印ｂの方向へ強く引き、積載物が保護カバー１０によって緊密に固定される状態にしてから、面ファスナー３２ｂ，３３ｂを面接触させて固定するのが好ましい。
【手続補正１５】
【補正対象書類名】明細書
【補正対象項目名】００３１
【補正方法】変更
【補正の内容】
【００３１】
次に、積載物の高さ（Ｘ）に沿って４側面部１１，１２（１２Ａ＋１２Ｂ），１３，１４（１４Ａ＋１４Ｂ）に折り目（一点鎖線で示す：以下同様）を入れる。これらの折り目より上方部が、高さ調整用の折り畳み可能部３７である。折り畳み可能部３７の側面部１２（１２Ａ＋１２Ｂ）及び側面部１４（１４Ａ＋１４Ｂ）に、それぞれ折り目Ｘと谷型稜線２２Ｃ，２４Ｃとを結ぶ折り目Ｙを形成する。
【手続補正１６】
【補正対象書類名】明細書
【補正対象項目名】００３２
【補正方法】変更
【補正の内容】
【００３２】
続いて、第１側面部１１及び第３側面部１３においては、前記の折り目Ｘに沿って折り畳み、第２側面部１２（１２Ａ＋１２Ｂ）及び第４側面部１４（１４Ａ＋１４Ｂ）においては、前記の折り目Ｘ、折り目Ｙ、及び谷型稜線２２Ｃ，２４Ｃに沿って折り畳むと、図８に示すように、Ｔ字形折り畳み部３８が上面部に形成される。このＴ字形折り畳み部３８を矢印Ｒの方向へ倒し、面ファスナー３４，３５で固定すると、図９に示すように、本発明の変高型積載物用カバー１０の上面部３９は内部の積載物の上面と一致した高さになるので、フォークリフトによる昇降や移送の際にも、荷崩れなどが起きにくくなる。これは、特には、高さ方向への積載物のはね上がりが防止されるからである。
【手続補正１７】
【補正対象書類名】明細書
【補正対象項目名】００４３
【補正方法】変更
【補正の内容】
【００４３】
【図１】本発明の定高型積載物用カバーの使用前の折り畳んだ状態を示す斜視図である。
【図２】図１に示す定高型積載物用カバーによってパレット上の積載物を覆う操作の途中の状態を模式的に示す斜視図である。
【図３】図１に示す定高型積載物用カバーによってパレット上の積載物を覆う操作の終了後の状態を模式的に示す斜視図である。
【図４】本発明の変高型積載物用カバーの使用前の折り畳んだ状態を示す斜視図である。
【図５】図４に示す変高型積載物用カバーを少し開いた状態を模式的に示す斜視図である。
【図６】図４に示す変高型積載物用カバーによってパレット上の積載物を覆う操作の途中の状態を模式的に示す斜視図である。
【図７】図４に示す変高型積載物用カバーの高さ調整操作の途中の状態を模式的に示す斜視図である。
【図８】図４に示す変高型積載物用カバーの高さ調整操作の途中の状態を模式的に示す斜視図である。
【図９】図４に示す変高型積載物用カバーによってパレット上の積載物を覆う操作の終了後の状態を模式的に示す斜視図である。
【図１０】本発明の変高型積載物用カバー使用前の折り畳んだ状態の第１側面部の一部を切り欠いた斜視図である。
【図１１】本発明の変高型積載物用カバー使用前の折り畳んだ状態の第１側面部と第２側面部と第６側面部の一部を切り欠いた斜視図である。
【図１２】本発明の変高型積載物用カバー使用前の折り畳んだ状態の第１側面部と第２側面部と第６側面部と第３側面部と第５側面部の一部を切り欠いた斜視図である。
【手続補正１８】
【補正対象書類名】明細書
【補正対象項目名】００４４
【補正方法】変更
【補正の内容】
【００４４】
１・・・定高型積載物用カバー；５・・・パレット；
１０・・・変高型積載物用カバー；１１，１２，１３，１４・・・側面部；
１２Ａ，１２Ｂ，１４Ａ，１４Ｂ・・・側面部；
１５・・・上面部；１６・・・開口部；
２１，２２，２３，２４・・・稜線；２２Ｃ，２４Ｃ・・・谷型稜線；
２５・・・閉鎖端部；３１・・・スリット；
３２，３３・・・面ファスナー；３２ａ，３３ａ・・・面ファスナー；
３２ｂ，３３ｂ・・・面ファスナー；３４，３５・・・面ファスナー；
３７・・・折り畳み可能部；３８・・・Ｔ字形折り畳み部；３９・・・上面部；
４１，４２・・・フォーク貫通用開口部；５１・・・フォーク挿入口；
Ｘ・・・折り目；Ｙ・・・折り目。